(57)【要約】【課題】消費者毎に最適な広告情報を提供できる広告情報提供システムを提供する。【解決手段】広告情報を消費者に提供するシステムであって、  検知手段と提供広告選択手段と出力指示手段と広告出力手段とを具備し、  前記検知手段は、消費者を検知して消費者情報を獲得し、  前記提供広告選択手段は、前記検知手段により獲得した前記消費者情報をもとにして前記消費者に提供する広告情報を選択し、  前記出力指示手段は、前記提供広告選択手段により選択された広告情報の出力を前記広告出力手段へ指示し、  前記広告出力手段は、前記指示に従って、前記提供広告選択手段により選択された広告情報を出力する、  ことを特徴とする広告情報提供システム。【選択図】図１
2008249784.tif 000002
【特許請求の範囲】
【請求項１】
広告情報を消費者に提供するシステムであって、
検知手段と提供広告選択手段と出力指示手段と広告出力手段とを具備し、
前記検知手段は、消費者を検知して消費者情報を獲得し、
前記提供広告選択手段は、前記検知手段により獲得した前記消費者情報をもとにして前記消費者に提供する広告情報を選択し、
前記出力指示手段は、前記提供広告選択手段により選択された広告情報の出力を前記広告出力手段へ指示し、
前記広告出力手段は、前記指示に従って、前記提供広告選択手段により選択された広告情報を出力する、
ことを特徴とする広告情報提供システム。
【請求項２】
前記広告出力手段は、広告情報として複数の画像を表示できることを特徴とした請求項１記載の広告情報提供システム。
【発明の詳細な説明】
【技術分野】
【０００１】
本発明は、屋外、デパートやスパーマーケットなどの大型店舗をはじめとしてコンビニエンスストアや小売店、あるいはレストランなど各種店舗内外、あるいはその他の屋内外において、販売または広告する商品等の広告対象物の映像、音声等からなる広告情報を提供する広告情報提供システムに関する。
【背景技術】
【０００２】
本発明の出願人は、商品を購入しに来た広告の受け手である消費者に商品に関連する広告情報を提供する装置であるＰＯＰ（Ｐｏｉｎｔ  ｏｆ  Ｐｕｒｃｈａｓｅ）やこのＰＯＰを広告表示装置として使用するシステムを多数出願してきた（例えば特許文献１及び２参照）。
【特許文献１】特開平７−１３４５５５号公報
【特許文献２】特開２００２−１９８９２３号公報
【発明の開示】
【発明が解決しようとする課題】
【０００３】
これまでの広告情報を提供するシステムは、以下のような課題１及び２に十分対応することができなかった。
【０００４】
・課題１；常に同じ広告情報を、同じ速さ、同じ音量で発信しており、消費者毎に対応した広告を発信することが十分にできなかった。
【０００５】
・課題２；例えば親子二人で買い物に来た消費者がいた場合、親と子では興味がある商品が異なっている場合が多く、親子別々に広告情報を提供した方が購買意欲を喚起することができるのに、そのことが十分にできなかった。
【０００６】
本発明は上記課題を解決するためになされたものであり、消費者毎に最適な広告情報を提供できる広告情報提供システムを提供するものである。
【課題を解決するための手段】
【０００７】
本発明において上記課題を達成するために、まず請求項１の発明では、広告情報を消費者に提供するシステムであって、
検知手段と提供広告選択手段と出力指示手段と広告出力手段とを具備し、
前記検知手段は、消費者を検知して消費者情報を獲得し、
前記提供広告選択手段は、前記検知手段により獲得した前記消費者情報をもとにして前記消費者に提供する広告情報を選択し、
前記出力指示手段は、前記提供広告選択手段により選択された広告情報の出力を前記広告出力手段へ指示し、
前記広告出力手段は、前記指示に従って、前記提供広告選択手段により選択された広告情報を出力する、
ことを特徴とする広告情報提供システムとしたものである。
【０００８】
また請求項２の発明では、前記広告出力手段は、広告情報として複数の画像を表示できることを特徴とした請求項１記載の広告情報提供システムとしたものである。
【発明の効果】
【０００９】
本発明は、消費者毎に最適な広告情報を提供できる。そのため、消費者の消費意欲を喚起できるので、商品の売上を向上させることができる。
【発明を実施するための最良の形態】
【００１０】
以下、図面を用いて、本発明の最良の一実施形態を説明する。
【００１１】
図１は、本発明の一実施形態に係る広告情報提供システムの構成を示すブロック図である。
【００１２】
図２は、消費者に広告情報を出力する広告出力手段であるＰＯＰに表示される、消費者毎に表示される画像例である。
【００１３】
１は、広告の受け手である消費者の検知を行う検知手段にあたるセンサーである。このセンサーは、消費者の高さ（身長）、通過スピード、画像等を検知して消費者情報として提供広告選択手段、出力指示手段を備えたサーバ２に送信するものである。また、センサー１毎や複数のセンサー１が備えられている棚Ａ毎に個別ＩＤが付与され、このＩＤも同時にサーバ２に送信する場合もある。また、センサー１が時計機能を備えており、消費者情報獲得時間を送信する場合もある。センサー１とサーバ２との間の情報のやり取りは、無線、有線のどちらを用いてもよく、共用することもできるものである。
【００１４】
４は、消費者に広告情報を出力する広告出力手段にあたるＰＯＰである。ＰＯＰ４は、少なくとも画像を表示するディスプレイ、音声を発生するスピーカを備える必要がある。ＰＯＰ４から出力される広告情報は、ＰＯＰ４に設置されている記憶媒体（ハードディスク、メモリ、ディスク等）に記憶されている情報、サーバ２から送信されるストリーミングのように、その記憶媒体に記憶されない情報であってもよく、共用されていてもよく特定されるものではない。
【００１５】
また、ＰＯＰ４は図２に示されているように上下に２画像表示することもできる。ＰＯＰ４に表示できる画像は、図２のように上下２画像に限定されることはなく、横２画像、または、上下・横３画像等に画像は分割することはできるが、画像を複数提供したとしても十分な広告効果がない場合があり、２画像分割表示が現実的であると考えられる。
【００１６】
また、２画像をＰＯＰ４に表示する場合、音声は画像ごとに提供したり、１画像のみ提供したり、あるいは、音声を停止するという設定を適宜行うことができる。
【００１７】
本発明における画像とは、静止画、動画を含みどちらかに一方に特定するものでなく、静止画と動画を同時に提供、あるいは静止画、動画のみと広告する商品に合わせて設定できることは当然である。
【００１８】
また、ＰＯＰ４には、ＩＣカード、磁気カード等のカード用のカードリーダの機能を付加することもできる。ＰＯＰ４とサーバ２の間の情報のやり取りは、無線、有線のどちらを用いてもよく、共用することもできるものである。
【００１９】
２は、センサー１により検知した消費者の情報をもとにして消費者毎に提供する情報を選択する提供広告選択手段、選択された広告情報をＰＯＰに出力の指示をおこなう出力指示手段とからなるサーバである。サーバ２が利用する情報（データ）は、データベース３に記憶されている。
【００２０】
・消費者毎に提供する広告情報の選択
センサー１から送信された消費者の高さ（身長）、通過スピード、画像等のセンサー１が検知した消費者情報を主解析情報として、センサー１が設置されている棚Ａ、設置されている位置等の情報を従解析情報として解析を行い、消費者に提供する広告情報を特定する。この際、データベース３に記憶された情報を用いる。
【００２１】
・消費者毎に提供する広告情報の出力指示
上述したように消費者毎に提供する広告情報が選択されたら、その広告情報がデータベース３、ＰＯＰ４のどこに記憶されているかを確認し、ＰＯＰ４に記憶されている場合は出力指示を行い消費者に広告情報を出力させ、データベース３に記憶されている場合は広告情報を抽出し、出力指示と共に広告情報をＰＯＰ４に送信し消費者に広告情報を出力させる。
【００２２】
３は、データベースであり、広告情報、消費者を解析する際に用いる情報を記憶しておくものである。
【００２３】
以下に、本発明システムが実行する処理の流れを、図３に示すフローチャートを用いて説明する。
【００２４】
まず、センサー１により消費者の検知を行い消費者情報を獲得して、サーバ２に送信する（ステップ１）。
【００２５】
このセンサー１により検知して獲得する消費者情報の項目は、消費者の高さ（身長）、通過スピード、洋服の柄・色、人数、人間か器具（ベビーカー・カート・三輪車等）等である。また、センサー１では消費者の画像（写真）を取り込むこともできる。画像を用いたほうが、認識度が高くなる。
【００２６】
センサー１の設置位置は特定する必要なく、商品の棚Ａに設置したり、店舗の出入り口等と必要に応じて設置する。
【００２７】
また、本実施形態ではセンサー１は一箇所、１個しか使用していないが、複数位置、複数個のセンサー１を用いて消費者の検知を行うと、より確実に消費者を検知できると共に、より最適な広告情報を消費者に提供できるものである。
【００２８】
次いで、センサー１から送信された消費者情報と、データベース３に記憶された情報を対比させて消費者の特定を行う（ステップ２）。
【００２９】
以下に、消費者を特定した例を説明する。
【００３０】
例１；女性の化粧品用の棚Ａに設置されたセンサー１（ＩＤ番号Ｋ００００１）から、例えば「約身長１６５ｃｍ」「洋服の色；ホワイト」「速度１５ｍ／ｍｉｎ」という項目の情報をサーバ２が受けた場合に、データベース３に記憶されている項目ごとの情報と対比して、消費者が女性であることの特定を行う。
【００３１】
例２；お菓子の用の棚Ａに設置されたセンサー１ａ（ＩＤ番号ＯＫ００００１）から例えば「身長１６０ｃｍ及び８０ｃｍ」「洋服の色；ホワイト及びレッド」「速度１０ｍ／ｍｉｎ」、センサー１ｂ（ＩＤ番号；ＫＥＯＫ００００１）から例えば「身長１６０ｃｍ及び８０ｃｍ」「洋服の色；ホワイト及びレッド」「速度０ｍ／ｍｉｎ」という項目の情報を受けた場合、データベース２に記憶されている項目の情報と対比して、消費者が母親と子供であり、棚Ａのセンサー１ｂ（ＩＤ番号；ＫＥＯＫ００００１）が設置されている箇所の前で止まったとの特定を行う。このように、センサーを複数用いて消費者を検知す
ると消費者を特定する精度が上がる。
【００３２】
次いで、消費者に提供する広告情報を特定し、出力指示をＰＯＰ４に行う（ステップ３）。
【００３３】
上述の消費者を特定した例に対応して、以下に、消費者に提供する広告情報を特定し、出力指示をＰＯＰ４に行う例を説明する。
【００３４】
例１；上述したように消費者は、口紅に興味がある女性であると特定された。この消費者に提供する広告情報は、ＰＯＰ４に記憶されている口紅のコマーシャルで使用されている画像等の広告情報、およびデータベース３から抽出される口紅の色毎に似合う洋服（コート、シャツ、パンツ等）、ヘアカラーの組み合わせの広告情報であると特定する。そして、ＰＯＰ４に出力指示と共にデータベース３から上記広告情報を送信する。
【００３５】
例２；センサー１ｂが設置されている棚Ａに配置されている商品をデータベース３に記憶されている情報から確認する（今回は、男児用ヒーローキャラクター菓子とする）。この例では、消費者は母親と子供の２名であると特定しているので、ＰＯＰ４の画像を図２のように上下に２分割して広告情報を出力することを出力指示に含める。１６０ｃｍの消費者（母親）が見えるＰＯＰ４の画面の上面に出力する広告情報には、１６０ｃｍの消費者（母親）に提供するものとして、データベース３に記憶されている男児用ヒーローキャラクター菓子に含まれている栄養情報、本日の特価品情報の広告情報を特定する。また、８０ｃｍの消費者（子供）が見えるＰＯＰ４の画面の下面に提供する広告情報には、８０ｃｍの消費者（子供）に提供するものとして、ＰＯＰ４に記憶されている男児用ヒーローキャラクター菓子のヒーロが悪役と戦っている映像をメインとした広告情報を特定する。そして、ＰＯＰ４に出力指示と共にデータベース３から上記広告情報を送信する。
【００３６】
次いで、消費者にＰＯＰ４より広告情報を出力する（ステップ４）。
【図面の簡単な説明】
【００３７】
【図１】本発明の一実施形態に係る広告情報提供システムの構成を示すブロック図。
【図２】消費者毎にＰＯＰに表示される画像例を示す図。
【図３】本発明システムが実行する処理の流れを示すフローチャート
【符号の説明】
【００３８】
１・・・センサー
２・・・サーバ
３・・・データベース
４・・・ＰＯＰ
【図１】
2008249784.tif 000003
【図２】
2008249784.tif 000004
【図３】
2008249784.tif 000005